(57)【要約】【課題】ハイヒールのようなくの字に曲がった、つま先を押さえて移動時でも破損しないように固定できる、固定材付き包装容器を提供すること。【解決手段】踵付き靴を固定する固定材を内部に備えている固定材付き包装容器であって、前記固定材は、下部固定パネルと、上部固定パネルとが連設して形成されており、前記下部固定パネルは、靴のつま先を上から押さえて固定し、前記上部固定パネルは、靴の踵を上下に貫通させる第一の孔を有しており、前記包装容器には、前記下部固定パネルの上下動を規制する規制部を有していることを特徴とする固定材付き包装容器である。【選択図】図１
2018131259.tif 000002
【特許請求の範囲】
【請求項１】
踵付き靴を固定する固定材を内部に備えている固定材付き包装容器であって、前記固定材は、下部固定パネルと、上部固定パネルとが連設して形成されており、前記下部固定パネルは、靴のつま先を上から押さえて固定し、前記上部固定パネルは、靴の踵を上下に貫通させる第一の孔を有しており、前記包装容器には、前記下部固定パネルの上下動を規制する規制部を有していることを特徴とする固定材付き包装容器。
【請求項２】
前記下部固定パネルは、靴のつま先が貫通する第二の孔を有し、第二の孔により、靴の踵を中心とした靴のつま先の回動が規制されていることを特徴とする請求項１記載の固定材付き包装容器。
【請求項３】
包装容器は長方形の底面を有する直方体形状であり、前記第一の孔と第二の孔が前記長方形状を有する底面の対角線上に配置されていることを特徴とする請求項２記載の固定材付き包装容器。
【請求項４】
前記上部固定パネルは、包装容器の隣接する二つの側面にそれぞれ接する二つの上部側壁部を有し、前記下部固定パネルは、包装容器の隣接する他の二つの側面にそれぞれ接する二つの下部側壁部を有することを特徴とする請求項３記載の固定材付き包装容器。
【請求項５】
前記規制部は、包装容器の側壁を切り起こした突片であることを特徴とする請求項２ないし４のいずれかの項記載の固定材付き包装容器。
【請求項６】
前記下部固定パネルは、底面と平行に配置され、前記上部固定パネルは、前記下部固定パネルとの連設部から斜めに立ち上げ形成されていることを特徴とする請求項１ないし５のいずれかの項記載の固定材付き包装容器。
【発明の詳細な説明】
【技術分野】
【０００１】  本発明は、物品を移動時でも破損がないように固定および固定して包装できるようにした固定材付き包装容器に関するものである。
【背景技術】
【０００２】  従来より、透明性が良好で剛性もあるポリエチレンテレフタレート（ＰＥＴ）などのプラスチックシートに折り曲げ罫線を設けてなる包装容器が造られている。被収納物はそのまま容器内に入れられるか、或いは両面テープ等の粘着テープで固定し収納していた。
【先行技術文献】
【特許文献】
【０００３】
【特許文献１】特開２００２−１０４３９４号  公報
【発明の概要】
【発明が解決しようとする課題】
【０００４】  しかし、被収納物を直接入れるのでは、容器内で被収納物ががたつき、破損する恐れのある物品では移動時に破損してしまい、両面テープ等の粘着テープを利用するのは、直接物品に貼り付けるため、外す際に物品を汚してしまい、収納作業や取り出す際の取り扱いも煩雑になるなど、問題点が多々あった。本発明は、上記問題点に着眼しつつなしたものであり、物品を綺麗に保つことができ、上部固定パネルと下部固定パネルを使用することで被収納物を定置させて収納可能とした容器を提供せんとするものである。
【課題を解決するための手段】
【０００５】  本発明の第一の態様の固定材付き包装容器は、踵付き靴を固定する固定材を内部に備えており、前記固定材は、下部固定パネルと、上部固定パネルとが連設して形成されており、前記下部固定パネルは、靴のつま先を上から押さえて固定し、前記上部固定パネルは、靴の踵を上下に貫通させる第一の孔を有しており、前記包装容器には、前記下部固定パネルの上下動を規制する規制部を有していることを特徴とするものである。【０００６】  これによれば、上部固定パネルに靴の踵を上下に貫通させる第一の孔を設けたので、簡単に靴の踵を固定することができ、下部固定パネルを設けたので、簡単に靴のつま先を固定することができ、規制部を設けたので、下部固定パネルの上下動を規制することができる。【０００７】  本発明の第二の態様の固定材付き包装容器は、前記下部固定パネルに、つま先が貫通する第二の孔を有し、第二の孔により、靴の踵を中心とした靴のつま先の回動が規制されていることを特徴とするものである。【０００８】  これによれば、第二の孔を設けたので、簡単に靴のつま先を固定することができる。【０００９】  本発明の第三の態様の固定材付き包装容器は、長方形の底面を有する直方体形状であり、前記第一の孔と第二の孔が前記長方形状を有する底面の対角線上に配置されていることを特徴とするものである。【００１０】  これによれば、容器を最小限の大きさにすることができる。外側の容器と対角にすることで、デザイン性が高まり、美的効果を発揮することができる。【００１１】  本発明の第四の態様の固定材付き包装容器の前記上部固定パネルは、包装容器の隣接する二つの側面にそれぞれ接する二つの上部側壁部を有し、前記下部固定パネルは、包装容器の隣接する他の二つの側面にそれぞれ接する二つの下部側壁部を有することを特徴とするものである。【００１２】  これによれば、上部固定パネルと下部固定パネルとで包装容器の四つの側面に接していることで、前後左右の動きを押さえることができる。【００１３】  本発明の第五の態様の固定材付き包装容器の前記規制部は、包装容器の側壁を切り起こした突片であることを特徴とするものである。【００１４】  これによれば、突片が切り起こしのため、簡単に規制部を形成することができる。【００１５】  本発明の第六の態様の固定材付き包装容器の前記下部固定パネルは、底面と平行に配置され、前記上部固定パネルは、前記下部固定パネルとの連設部から斜めに立ち上げ形成されていることを特徴とするものである。【００１６】  これによれば、下部固定パネルを底面と平行に配置することにより、つま先を真上から押さえることができ、上部固定パネルを斜めに立ち上げることにより、ハイヒールの底部を面で受け安定して固定することができる。
【発明の効果】
【００１７】  本発明によれば、被収納物を収納し、容器内に被収納物を定置して保持することができる。被収納物を固定し移動時の破損を防ぐ効果が得られる。これらの効果を発揮する固定材付き包装容器が、簡潔に製造可能である。
【図面の簡単な説明】
【００１８】
【図１】本発明に係る固定材付き包装容器の一例を示す斜視図である。
【図２】図１に使われる包装容器を形成するブランクの平面図である。
【図３】図１に使われる固定材を形成するブランクの平面図である。
【図４】図１の固定材付き包装容器内に踵付き靴を収納した使用状態を示す斜視図である。
【発明を実施するための形態】
【００１９】  以下、図面を参照して本発明をハイヒール用に適用した一実施形態を説明する。
【００２０】  図１の固定材付き包装容器１０は、図２に示す一枚のブランクＢと図３に示す一枚のブランクＣを組み立てて形成される。このブランクＢとブランクＣは、素材がポリエチレンテレフタレート（ＰＥＴ）からなる透明なプラスチックシートを打ち抜いたものである。なお、図２，図３において実線は切り取り線を意味し破線は折り曲げ罫線を表している。
【００２１】  ブランクＢについて説明すると図２に示すように、前面パネル１９の両側辺にそれぞれ折り曲げ罫線ｅ，ｆを介して規制部付折り曲げフラップ２０，２１と規制部２２，２３が連設されている。
【００２２】  前面パネル１９の上下辺にそれぞれ折り曲げ罫線ｂ，ｃを介して天面パネル１１と底面パネル２４が連設されている。底面パネル２４の上辺には折り曲げ罫線ａを介して糊付け片２５が連設されている。天面パネル１１の両側辺にそれぞれ折り曲げ罫線ｈ，ｇを介して側面蓋パネル１２，１３が連設され、一方の側面蓋パネル１２には折り曲げ罫線１を介して差込みパネル１５が連設され、他方の側面蓋パネル１３には折り曲げ罫線ｋを介して差込みパネル１４が連設されている。
【００２３】  天面パネル１１の下辺には折り曲げ罫線ｄを介して背面パネル１６が連設され、背面パネル１６の両側辺にそれぞれ折り曲げ罫線ｉ，ｊを介して折り曲げフラップ１７，１８が連設されている。
【００２４】  折り曲げ罫線ａ〜ｌまでは原則すべて最終的には９０度折り曲げるために設けられている。ただし、ｅ，ｆのうち規制部２２，２３が連設されている部分については、さらに４５度即ち１３５度折り曲げることを予定している。
【００２５】  図３のブランクＣは、上部固定パネル２６の両側辺にそれぞれ折り曲げ罫線ｍ，ｎを介して上部固定パネル立ち上げ部２７，２８が連設され、上部固定パネル２６の下辺には折り曲げ罫線ｏを介して下部固定パネル２９が連設されている。下部固定パネル２９の両側辺にそれぞれ折り曲げ罫線ｐ，ｑを介して下部固定パネル立ち上げ部３０，３１が連設されている。上部固定パネル２６にはハイヒールの踵が挿入される第一の孔２６ａが打ち抜き形成されている。同じように下部固定パネル２９にはハイヒールのつま先が挿入される第二の孔２９ａが打ち抜き形成されている。
【００２６】  ブランクＢの組立方法を説明する。ブランクＢは、折り曲げ罫線ｂ，ｄのところで順次折り曲げ、背面パネル１６の側端に沿ったところに糊付け片２５を貼り合わせサック貼りした状態とする。サック貼りされた状態のブランクＢをまず、折り曲げ罫線ａ，ｂ，ｃ，ｄをそれぞれ９０度の角底を保つように角筒状に起こす。次に、折り曲げ罫線ｅ，ｆ，ｉ，ｊをそれぞれ９０度保つように起こし、最後に折り曲げ罫線ｇ，ｈをそれぞれ９０度保つように起こし、差込みパネル１４，１５を差し込み形成される。この段階では規制部２２，２３はまだ折り曲げない。
【００２７】  つづいて、ブランクＣの組立方法は次のようである。折り曲げ罫線ｍ，ｎ，ｐ，ｑのところで上部固定パネル立ち上げ部２７，２８と下部固定パネル立ち上げ部３０，３１を順次外側へ折り曲げ、折り曲げ罫線ｏのところで内側に折り曲げ形成される。
【００２８】  その次に、ブランクＣへのハイヒールの固定は次のように行う。まず、ハイヒールの踵を上部固定パネル２６の第一の孔２６ａに嵌め込むことにより上下動を規制し、次につま先を下部固定パネル２９の第二の孔２９ａに嵌め込むことにより回動を規制する。なお、ハイヒールはアクリル製である。
【００２９】  次に、ブランクＢとブランクＣのセット方法を説明します。［００２７］で説明した方法で組立てたブランクＣに［００２８］で説明した方法でハイヒールを固定し、ハイヒールを固定したブランクＣを［００２６］で説明した方法で組立てたブランクＢに入れることにより、図４に示す状態となる。このあと、規制部２２，２３を４５度に折り曲げ下部固定パネルの上下動をしないように固定することができ、固定材付き包装容器１０が形成される。
【００３０】  以上、本発明の一実施の形態について詳細に説明してきたが、本発明による固定材付き包装容器１０は、上記実施形態に何ら限定されるものではない。例えば、上記では四角柱形状（直方体形状）の包装容器について説明をしたが、六角柱や八角柱形状の包装容器であってもよい。さらには、柱形状の包装容器ではなく四角錐、六角錐のような錐形状の包装容器でもよいし、錐形状の上部が切り取られた錐台形状でもよい。
【００３１】  例えば、上記の例では、素材がＰＥＴからなるプラスチックシートの場合をを例に挙げたが、塩化ビニル、ポリエチレン等、他の素材のプラスチックシートや段ボール、板紙等紙製シートを使用することもできる。ただ、リサイクル等の環境問題の観点からＰＥＴを用いることが好ましい。
【００３２】  また、被収納物の形状としては、ハイヒールに準じ下部が押さえられる形状であればよく、固定材付き包装容器１０のサイズはそれらに合わせて設計すればよい。
【００３３】  また、被収納物の素材は、アクリルに限るものではなく、破損の恐れのある素材であれば特に限定はない。以上のように本発明の趣旨を逸脱しない範囲において種々の変更が可能であることは当然のことである。
【００３４】  上記の実施例は一足用であるが、左右一足のハイヒールを一つの包装容器に収めるように形成してもよい。
【符号の説明】
【００３５】Ｂ  ブランク
Ａ  ハイヒール
１０  固定材付き包装容器
１１  天面パネル
１２，１３  側面蓋パネル
１４，１５  差込みパネル
１６  背面パネル
１７，１８  折り曲げフラップ
１９  前面パネル
２０，２１  規制部付折り曲げフラップ
２２，２３  規制部
２４  底面パネル
２５  糊付け片
ａ〜１  折り曲げ罫線
Ｃ  ブランク
２６  上部固定パネル
２６ａ  第一の孔
２７，２８  上部固定パネル立ち上げ部
２９  下部固定パネル
２９ａ  第二の孔
３０，３１  下部固定パネル立ち上げ部
ｍ〜ｑ  折り曲げ罫線
【図１】
2018131259.tif 000003
【図２】
2018131259.tif 000004
【図３】
2018131259.tif 000005
【図４】
2018131259.tif 000006